(57)【特許請求の範囲】
【請求項１】
モルタル層剥離具を用いてコンクリート躯体表面に形成されたモルタル層を当該コンクリート躯体表面から剥離するモルタル層の剥離方法であって、
前記モルタル層に、前記モルタル層剥離具を係止させるための複数の剥離具用係止部を、互いに距離をもたせるようにして形成するとともに、前記剥離具用係止部の夫々を囲むように前記モルタル層を切断してその切断部によって前記モルタル層を複数の切断区画部に区画形成する工程と、
前記モルタル層の表面側に硬化樹脂層を、その表面の略全体に接着させるようにして形成する工程と、
前記剥離具用係止部に前記モルタル層剥離具を係止するとともに、その係止したモルタル層剥離具を操作することによりその剥離具用係止部を囲んだ前記切断区画部をコンクリート躯体表面から引き離して剥離させる工程と、
を含むことを特徴とするモルタル層の剥離方法。
【請求項２】
前記硬化樹脂層は、繊維状物を含んでいることを特徴とする請求項１記載のモルタル層の剥離方法。
【発明の詳細な説明】
【技術分野】
【０００１】
本発明は、コンクリート躯体表面のモルタル層を剥離させるモルタル層の剥離方法に関するものである。
【背景技術】
【０００２】
コンクリート建築物のコンクリート躯体表面には、モルタルが塗着されている場合も多い。このモルタル層は、例えばコンクリート躯体の修理や補強作業に際して、或いはモルタル層自体の劣化等により新たにモルタルを塗着するために、剥離することが必要となる場合がある。
【０００３】
このようなモルタル層を剥離する方法として、例えば特許文献１にモルタル層の剥離具を用いた方法が開示されている。この剥離具は、油圧シリンダと、拡張ニードル（拡開操作用ロッド）と、先端部が拡開可能な筒状体とを備えたものである。そして、モルタル層に、剥離具を係止させる剥離具用係止孔（剥離具用係止部）を形成し、その剥離具用係止孔に筒状体の先端側を入れ、その状態から油圧シリンダを作動し、油圧シリンダに設けたラムを前進駆動させる。これにより、拡開操作用ロッドが筒状体内を先端側に進行し、この拡開操作用ロッドの進行に伴って拡開操作用ロッドの先細りの先端部が筒状体の先端部内に押し入り先端部を外周方向の外方に押し広げてモルタル層にひび割れを生じさせる。又、拡開操作用ロッドの先端が係止用孔の底のコンクリート躯体に突き当たり、その後は筒状体が拡開操作用ロッドに対して相対的に後退し、この後退力によってコンクリート躯体の表面からモルタル層に剥離が生じ、前記押し広げ力と相俟ってモルタル層にひび割れを生じ易くして剥離させる。
【先行技術文献】
【特許文献】
【０００４】
【特許文献１】特開２００２−７０３３０号公報
【発明の概要】
【発明が解決しようとする課題】
【０００５】
しかしながら、特許文献１に開示の剥離方法においては、例えば図７に示すようにモルタル層１０１における剥離具用係止孔１１０の周部が、発生したひび割れ１１１に伴って小片状の破断片１１２に破断して散らばるようにして剥離し、隣接する剥離具用係止孔１１０同士の間に一部のモルタル層が残ってしまうおそれが生じる。しかも、小片状の破断片１１２に破断して散らばるため、散らばった破断片の後片付け作業が面倒であるとともに、作業に際して粉塵が生じ、剥離作業がし難い場合がある。
【０００６】
又、その際、剥離具用係止孔１１０を、隣接するもの同士を近接させるようにして形成することも考えられるが、その場合には、剥離具用係止孔１１０を数多く形成しなければならないとともに、剥離具用係止孔１１０ごとに剥離具を係止して操作しなければならず、作業時間が長くなって作業効率の悪いものになってしまう。
【０００７】
本発明は、コンクリート躯体の表面からモルタル層を効率良く、しかも簡単に剥離できるモルタル層の剥離方法の提供を目的とする。
【課題を解決するための手段】
【０００８】
上記課題を解決するため、請求項１の発明は、モルタル層剥離具を用いてコンクリート躯体表面に形成されたモルタル層を当該コンクリート躯体表面から剥離するモルタル層の剥離方法であって、前記モルタル層に、前記モルタル層剥離具を係止させるための複数の剥離具用係止部を、互いに距離をもたせるようにして形成するとともに、前記剥離具用係止部の夫々を囲むように前記モルタル層を切断してその切断部によって前記モルタル層を複数の切断区画部に区画形成する工程と、前記モルタル層の表面側に硬化樹脂層を、その表面の略全体に接着させるようにして形成する工程と、前記剥離具用係止部に前記モルタル層剥離具を係止するとともに、その係止したモルタル層剥離具を操作することによりその剥離具用係止部を囲んだ前記切断区画部をコンクリート躯体表面から引き離して剥離させる工程と、と含むことを特徴とするモルタル層の剥離方法を提供する。
【０００９】
請求項２の発明は、請求項１のモルタル層の剥離方法において、前記硬化樹脂層は、繊維状物を含んでいることを特徴とするモルタル層の剥離方法である。
【発明の効果】
【００１０】
本発明の請求項１によれば、剥離具用係止部にモルタル層剥離具を係止し、その係止したモルタル層剥離具を、例えば引き操作する。その際、その剥離具用係止部を囲んだモルタル層の切断区画部が他の切断区画部から切断されているため、切断区画部の全体を、コンクリート躯体表面から容易に引き離して剥離させることができる。又、モルタル層の表面に硬化樹脂層が形成されているため、モルタル層における剥離具用係止部の周部が小片状の破断片に破断し難いものにできる。又、仮に、モルタル層における剥離具用係止部の周部が小片状の破断片に破断した場合でも、硬化樹脂層によって破断片を繋ぎ留めておくことができる。
【００１１】
従って、モルタル層を、切断区画部ごとに順次コンクリート躯体表面から剥離させることができる。よって、モルタル層を、残すことなく確実にコンクリート躯体表面から剥離できるとともに、１つの剥離具用係止部にモルタル層剥離具を係止して剥離できるモルタル層の量を、切断区画部を形成していない場合に比して多くでき、剥離作業を効率の良いものにできる。
【００１２】
又、剥離具用係止孔の周部が小片状の破断片に破断して散らばることがないため、粉塵の発生を防止できるとともに、破断片の後片付け作業等を行なう必要のないものにでき、剥離作業を簡単に行なうことができる。
【００１３】
請求項２によれば、硬化樹脂層は、繊維状物を含んでいるため、硬化樹脂層を分断し難いように強化したものにできる。これにより、モルタル層を破断し難いものにできる。又、仮に、モルタル層における剥離具用係止孔の周部が小片状の破断片に破断した場合でも、硬化樹脂層によって確実に繋ぎ留めておくことができ、確実に切断区画部の全体をコンクリート躯体表面から剥離させることができる。
【図面の簡単な説明】
【００１４】
【図１】本発明のモルタル層の剥離方法において、モルタル層に、剥離具用係止孔及び硬化樹脂層を形成するとともに、モルタル層を複数の切断区画部に区画形成した状態のモルタル層の一部の正面図である。
【図２】図１のＩＩ−ＩＩ線断面図である。
【図３】本発明のモルタル層の剥離方法に用いる一実施形態のモルタル層剥離具の断面図である。
【図４】剥離具用係止部にモルタル層剥離具の筒状体の先端部を入れた状態の要部拡大断面図である。
【図５】図４の状態からモルタル層剥離具の拡開操作用ロッドを筒状体に対して移動させ筒状体の先端部を拡開させて剥離具用係止孔の内周壁に係止した状態の要部拡大断面図である。
【図６】図５の状態から更に拡開操作用ロッドを筒状体に対して移動させた状態の要部拡大断面図である。
【図７】従来の方法によりモルタル層を剥離した際の説明図である。
【発明を実施するための形態】
【００１５】
以下、本発明を実施するための最良の形態について、図面を参照しながら詳細に説明する。図１は、本発明のモルタル層の剥離方法において、モルタル層に、剥離具用係止孔及び硬化樹脂層を形成するとともに、モルタル層を複数の切断区画部に区画形成した状態のモルタル層の一部の正面図、図２は、図１のＩＩ−ＩＩ線断面図である。
【００１６】
本発明のモルタル層の剥離方法は、図１、図２に示すように、まず、モルタル層１０１に、複数の剥離具用係止部１及び硬化樹脂層２を形成するとともに、モルタル層１０１を複数の切断区画部３に区画形成する。
【００１７】
剥離具用係止部１は、後述するモルタル層剥離具２０１を係止させるためのもので、この実施形態の剥離具用係止部１は、モルタル層１０１を厚さ方向に貫通するようにして円形状に形成された孔１１の内周壁とされている。
【００１８】
又、剥離具用係止部１は、夫々、切断区画部３の略中心部に配置されている。尚、剥離具用係止部１は、切断区画部３の略中心部に配置されているのが好ましいが、切断区画部３の中心から偏った位置に配置されたものであっても良く、適宜変更できる。
【００１９】
硬化樹脂層２は、モルタル層１０１を破断し難いものにするとともに、モルタル層１０１が小片状の破断片に破断した場合でも破断片を繋ぎ留めておくためのもので、モルタル層１０１よりも破断し難いものから構成されている。この実施形態では、樹脂材２１と繊維状物とを有するものから構成されている。
【００２０】
樹脂材２１としては、例えばエポキシ系樹脂を主成分としたものを挙げることができる。繊維状物は、硬化樹脂層２の破断強度を高めるためのもので、この実施形態では、繊維状物から構成された布部材２２が用いられている。
【００２１】
この硬化樹脂層２は、例えば次のようにしてモルタル層１０１の表面全体に所定厚さで形成されている。まず、未硬化状態の液状の樹脂材２１を、モルタル層１０１の表面全体に塗布する。そして、布部材２２を、その塗布した樹脂材２１に覆い被せるようにしてモルタル層１０１の表面の略全体を覆うように配設する。更に、布部材２２に樹脂材２１を塗布し、樹脂材２１を硬化させる。
【００２２】
これにより、樹脂材２１が硬化する際に、樹脂材２１が有する接着能によってモルタル層１０１の表面全体に、布部材２２を有する硬化樹脂層２を接着させて積層させることができる。
【００２３】
尚、この硬化樹脂層２の厚さは、特に限定されず、モルタル層１０１を破断し難いものにし、又、モルタル層１０１が小片状の破断片に破断した場合にそれらの破断片を繋ぎ留めておくことができる程度の厚さであれば良い。この実施形態では、３ｍｍ〜１０ｍｍ程度にしている。
【００２４】
切断区画部３は、剥離具用係止部１夫々を囲むように、モルタル層１０１における剥離具用係止部１夫々の全周部を切断し、その切断部３１によって１つの剥離具用係止部１を有するものに区画形成されている。従って、切断区画部３は、剥離具用係止部１と同じ数だけ形成されている。
【００２５】
この実施形態では、強制吸塵装置を有する乾式ダイヤモンドカッタを用いてモルタル層１０１に、縦横に複数の切断部３１を形成することによって、モルタル層１０１の全体を、複数の四角形状の切断区画部３に区画形成している。
【００２６】
尚、切断区画部３の形状は、特に限定されず、例えばひし形状に形成する等、適宜変更できる。
【００２７】
以上のようにしてモルタル層１０１に、剥離具用係止部１、硬化樹脂層２及び切断区画部３を形成した後は、モルタル層剥離具２０１を用いて行なう。ここで、この本発明に用いるモルタル層剥離具２０１について説明する。
【００２８】
このモルタル層剥離具２０１は、図３に示すように、剥離具本体２０２と、剥離具本体２０２の先端側に設けられた筒状体２０３と、筒状体２０３内に配設された拡開操作用ロッド２０４とを備えている。
【００２９】
剥離具本体２０２は、この実施形態では、油圧シリンダから構成されており、シリンダ部２２１と、シリンダ部２２１内に配設されたピストン２２２及びピストン２２２に連結されたピストンロッド２２３とを備えている。
【００３０】
シリンダ部２２１は、流体としての油を流す油圧回路２２１ａを備えている。又、この油圧回路２２１ａには、筒状の流体加圧手段連結部材２２１ｂが設けられている。そして、この流体加圧手段連結部材２２１ｂに、パイプ等（図示せず）を介して流体加圧手段としての油圧ポンプ（図示せず）が連結されることにより、油圧ポンプの作動に伴い油圧回路２２１ａに油が流れるようになっている。
【００３１】
又、この油の流れによって、ピストン２２２及びピストンロッド２２３が油圧（流体圧）を受けて、シリンダ部２２１内を、シリンダ部２２１の軸方向（図３のＸ−Ｙ方向）に移動する。
【００３２】
筒状体２０３は、筒状体本体２０５と、その筒状体本体２０５の軸方向の先端（図１のＸ方向）に設けられた突部２０６とを備えている。筒状体本体２０５は、その軸方向の先端側に拡開部２５１を備えている。
【００３３】
拡開部２５１には、その先端から軸方向に沿って所定の長さで、所定幅で切り込まれた複数（この実施形態では４つ）のスリット２５２が設けられている。これらのスリット２５２によって拡開部２５１が４つの分割片２５３に分割されている。
【００３４】
また、拡開部２５１は、先端側の内周側に、先端に行くに従って漸次内周径が小さくなる径小部２５４を備えており、この径小部２５４が内周側から外周側に押圧されると拡開部２５１の外周方向に拡開するようになっている。
【００３５】
そして、この筒状体本体２０５は、その基端側が、シリンダ部２２１の軸方向の先端側に連結されている。この実施形態では、両者に設けたネジを螺合させることによって両者を連結し、これにより、筒状体本体２０５は、その軸心がシリンダ部２２１の軸心に合わされているとともに、シリンダ部２２１の先端側に突出されている。
【００３６】
突部２０６は、筒状体本体２０５の分割片２５３夫々の外周面２５３ａにおける先端部の周方向の全体に外周方向に突出するように設けられており、筒状体本体２０５のほぼ全周にわたって配設されている。
【００３７】
又、突部２０６は、筒状体本体２０５の分割片２５３の先端側（図のＸ方向）に行くに従って、上記外周面２５３ａからの突出高さが高くなるように構成されている。この実施形態では、突部２０６は、先端側に凹んだ湾曲面２６１を有するものとされているとともに、その突出先端が尖った尖部２６２を有するものから構成されている。
【００３８】
拡開操作用ロッド２０４は、筒状体本体２０５の先端側を拡開操作するもので、この実施形態では、円柱状のものから構成されている。拡開操作用ロッド２０４の外周径は、上記筒状体本体２０５の径小部２５４よりも径大に形成されている。
【００３９】
また、拡開操作用ロッド２０４は、その先端側に、拡開部２５１の径小部２５４を押圧操作する押圧操作部２４１を備えている。この実施形態の押圧操作部２４１は、先端側に漸次径小になるテーパー状に形成されている。
【００４０】
そして、この拡開操作用ロッド２０４は、その基端側が、剥離具本体２０２のピストンロッド２２３の先端に連結されている。この実施形態では、拡開操作用ロッド２０４の基端側に、雌ネジ部が設けられており、その雌ネジ部がピストンロッド２３に設けられた雄ネジ部に螺合されるようにして連結されている。
【００４１】
この連結状態で、拡開操作用ロッド２０４は、その軸心がピストンロッド２２３及び筒状体本体２０５夫々の軸心に合わされた状態で、筒状体本体２０５内に配設されている。そして、ピストンロッド２２３の可動に伴い、拡開操作用ロッド２０４は、押圧操作部２４１が筒状体本体２０５内に没入して拡開部２５１の径小部２５４に当接した図３、図４に示す状態から、拡開部２５１の先端側に所定長さだけ突出した図６に示す状態までの範囲を、筒状体２０３に対して軸方向に出没可能に移動する。
【００４２】
以上のように構成されたモルタル層剥離具２００を用いてモルタル層１０１を剥離するには、図４に示すようにモルタル層剥離具２００の筒状体２０３の突部２０６及び拡開部５１を、モルタル層１０１に形成した剥離具用係止部１に、筒状体２０３の先端面がコンクリート躯体１００に当たるまで嵌挿する。
【００４３】
その状態から、油圧ポンプを作動させてピストンロッド２２３（図１参照）を先端側に移動させ、拡開操作用ロッド２０４を筒状体２０３内の先端側に移動させる。これにより、図５に示すように拡開操作用ロッド２０４の押圧操作部２４１が拡開部２５１の径小部２５４を先端側に摺動する。
【００４４】
そして、その摺動に際して、拡開部２５１が押圧操作部２４１に内側から押圧されて径外方向（外周方向）に拡開し、突部２０６の径が拡がる。又、その突部２０６の径が拡がるに際して、突部２０６の尖部２６２がコンクリート躯体１００とモルタル層１０１との境界１０４に入り込んで突部２０６の湾曲面２６１がモルタル層１０１の剥離具用係止部１の奥部の内周壁及び周縁部に係止する。
【００４５】
更に、拡開操作用ロッド２０４が筒状体２０３に対して移動すると、拡開操作用ロッド２０４の先端面がコンクリート躯体１００に当接する。この状態から更に、拡開操作用ロッド２０４が筒状体２０３に対して移動すると、図６に示すように拡開操作用ロッド２０４が筒状体２０３からの突出量を増すが、拡開操作用ロッド２０４はコンクリート躯体１００に当接して移動できないため、筒状体２０３の突部２０６が拡開操作用ロッド２０４に対して移動してコンクリート躯体１００に対して引き離れる方向に移動する。
【００４６】
その際、突部２０６のテーパー面６１がモルタル層１０１に係止しているため、モルタル層１０１をコンクリート躯体１００から引き離す方向に引っ張ることができる。又、その剥離具用係止部１を囲んだモルタル層１０１の切断区画部３が他の切断区画部から切断されているため、切断区画部３の全体を、コンクリート躯体表面１００から容易に引き離して剥離させることができる。また、モルタル層１０１の表面に硬化樹脂層２が形成されているため、モルタル層１０１を破断し難いものにできる。又、仮に、モルタル層１０１の剥離具用係止部１の周部が小片状の破断片に破断した場合でも、硬化樹脂層２によって破断片を繋ぎ留めておくことができる。
【００４７】
従って、モルタル層１０１を、切断区画部３ごとに順次コンクリート躯体表面１００から剥離させることができる。よって、モルタル層１０１を、残すことなく確実にコンクリート躯体１００表面から剥離できるとともに、１つの剥離具用係止部１にモルタル層剥離具２００を係止して剥離できるモルタル層の量を、切断区画部３を形成していない場合に比して多くでき、剥離作業を効率の良いものにできる。
【００４８】
又、モルタル層１０１における剥離具用係止部１の周部が小片状の破断片に破断して散らばることがないため、粉塵の発生を防止できるとともに、破断片の後片付け作業等を行なう必要のないものにでき、剥離作業を簡単なものにできる。
【００４９】
尚、上記実施形態では、モルタル層１０１に、切断区画部３を形成した後に、硬化樹脂層２を形成し、その後、剥離具用係止部１（孔１１）を形成しているが、これらの剥離具用係止部１、硬化樹脂層２、及び切断区画部３の形成の先後の順は、特に限定されない。
【００５０】
例えば孔１１を形成する前にモルタル層１０１の表面全体に硬化樹脂層２を形成し、その後、モルタル層１０１に、硬化樹脂層２とともに、孔１１を形成するようにしても良い。ただし、剥離具用係止部１（孔１１）を形成する前に、切断区画部３を形成し、その後に剥離具用係止部１（孔１１）を形成するようにすれば、剥離具用係止部１（孔１１）を、目視で切断区画部３の中心部に形成し易くなる点で、好ましい。
【００５１】
又、孔１１を形成する前にモルタル層１０１の全体に所定の大きさの切断区画部３を形成し、その後、その切断区画部３の夫々に、孔１１を形成するようにしても良い。
【００５２】
また、上記実施形態では、硬化樹脂層２の繊維状物として、シート状に形成した布部材２２を用いているが、この形態のものに限らず、適宜変更できる。例えば、樹脂材２１に繊維状物を散在させたものでも良い。又、使用する繊維状物の材質等は、特に限定されない。
【００５３】
又、硬化樹脂層２は、繊維状物を含む形態のものに限らず、繊維状物を含まない樹脂材２１のみから構成されるものであっても良く、適宜変更できる。
【００５４】
また、上記実施形態では、切断区画部３を、一辺の長さが、５０ｃｍ程度の大きさのものから形成しているが、例えばモルタル層剥離具２０１の操作でコンクリート躯体１００から剥がすことができる大きさであれば良く、適宜変更できる。
【００５５】
又、上記実施形態では、モルタル層剥離具として、突部２０６を有する筒状体２０３を備えたものを用いているが、突部２０６を有しないものでも良い。また、本発明に用いるモルタル層剥離具は、上記実施形態のものに限らず、適宜変更でき、例えば剥離具用係止部１に係止でき、その係止した状態で手で引き操作するようなものであっても良い。
【符号の説明】
【００５６】
１    剥離具用係止部
２    硬化樹脂層
３    切断区画部
１００    コンクリート躯体
１０１    モルタル層
２０１    モルタル層剥離具
【図１】
0005443184.tif 000002
【図２】
0005443184.tif 000003
【図３】
0005443184.tif 000004
【図４】
0005443184.tif 000005
【図５】
0005443184.tif 000006
【図６】
0005443184.tif 000007
【図７】
0005443184.tif 000008